(57)【特許請求の範囲】
【請求項１】
ディスク状記録媒体をドライブするドライブユニットと、
該ドライブユニットに隣接して配設され、複数枚のディスク状記録媒体が並列状に収められるマガジンを装填口から脱着自在とする格納部と、
該格納部の底面側の座板下に配設した動作カムの回動動作で前記ドライブユニットを上下動させるエレベータ機構により、前記マガジンに収められた複数枚のディスク状記録媒体から任意の１枚を選択する選択機構と、
前記格納部に格納されたマガジンを前記装填口に向けて排出するイジェクト機構とを備えたディスク再生装置におけるマガジンのイジェクト機構において、
前記動作カムは、少なくとも前記マガジンの排出時における第１の位置と前記マガジンの排出後における第２の位置との間で前記座板に沿って回動可能とされ、その動作カムには前記格納部側に突出するストッパーピンが設けられると共に、前記マガジンには前記動作カムと近接する側の外面に前記ストッパーピンが遊嵌する逃げ溝が形成され、
その逃げ溝は、
前記動作カムの回動動作により前記ストッパーピンが取り得る軌道範囲に形成されると共に、前記動作カムが前記第１の位置にあるときに前記ストッパーピンと当接して前記マガジンを所定の排出位置に停止させる障壁と、前記動作カムが前記第２の位置にあるときに前記ストッパーピンの位置を通過して前記装填口からのマガジンの抜き取りを可能にする排出溝部とを有して成ることを特徴とするディスク再生装置におけるマガジンのイジェクト機構。
【発明の詳細な説明】
【０００１】
【発明の属する技術分野】
本発明は、オートチェンジャ機能を備えたＣＤプレーヤその他のディスク再生装置に関し、特に再生用のディスク状記録媒体が並列状に収められるマガジンを備えたディスク再生装置におけるマガジンのイジェクト機構に関する。
【０００２】
【従来の技術】
近年、コンパクトディスクやミニディスク等デジタル記録式のディスク状記録媒体（以下、ディスクと略称する）、並びにその再生装置が普及しているが、取り分けオートチェンジャ機能を備えたディスク再生装置はディスクを入れ換える煩わしさが少なく、簡単に所望のディスクを選択・再生できるので、カーオーディオを中心に広く普及している。
【０００３】
上記オートチェンジャ機能を備えたディスク再生装置には様々な構造のものがあるが、一般に良く知られているものに、複数枚のディスクが並列状に収められるマガジンを具備し、そのマガジンの中から選択された一枚のディスクを取り出してドライブユニットで再生するようにした方式がある。
【０００４】
その種のディスク再生装置では、ドライブユニットに隣接してマガジンの格納部が設けられており、その格納部に格納したマガジンと光ピックアップなどを備えたドライブユニットとの間でディスクを遣り取りできるようになっている。
【０００５】
特に、格納部にはマガジンのイジェクト機構が備えられ、マガジンに収められているディスクを交換するときなどには、操作パネルのスイッチ操作でイジェクト機構を作動させることによりマガジンを機外に払い出すようになっている。
【０００６】
ここで、従来のイジェクト機構は図７に示すように、マガジンＭの装填方向に沿って摺動自在に設けたスライダＳをベースにし、そのスライダＳの部位を緩速用のオイルダンパＤに接続した構造としてある。図７の（Ａ）は格納部にマガジンを格納した状態であり、このときスライダＳは弾性部材Ｆ（例えば引っ張りコイルバネ）により図示せぬ装填口に向けて付勢された状態でロックされ、操作パネルのスイッチ操作を以てそのロックが解除されたときには、マガジンＭの自重による摩擦力を越える弾性部材Ｆの復元力にて図７（Ｂ）のようにスライダＳがマガジンＭを押しながら装填口の方向に進行するようになっている。なお、オイルダンパＤは、スライダＳの側縁に形成したラックに噛合するピニオンをもち、その回転軸の一端に設けた図示せぬ回転翼を油槽中に封入した構造としてある。
【０００７】
上記のようなイジェクト機構によれば、弾性部材Ｆの急激な復元（縮み）によるスライダＳの進行速度をオイルダンパＤにて緩和し、急激な加速による装填口からのマガジンＭの飛び出しを防止することができる。
【０００８】
【発明が解決しようとする課題】
しかしながら、従来のイジェクト機構はイジェクト時のマガジン停止位置を所定の排出停止位置に決めるための特段の停止機構を有せず、マガジンＭの排出停止位置の設定は専ら弾性部材Ｆの復元力の強さとオイルダンパＤや板バネ等の緩衝部材の緩衝力とのバランス調整により行われていた。
【０００９】
ところが、オイルダンパＤは油の粘性が気温によって変化するために温度特性に弱く、その緩衝力に変化が現れ、またマガジンＭの傾き状態や格納部とマガジンＭとの摩擦係数の固体差等が排出速度に大きく影響する。結果としてマガジンＭの排出速度にバラツキが生じてマガジンＭのイジェクト時の停止位置がばらつくなどの問題があった。
【００１０】
例えば、気温の低いときには油の粘性が高く駆動系に過負荷を生じ、逆に気温が高いときには油の粘性が低下して弾性部材Ｆにかかる復元時の負荷が小さくなるため、スライダの排出速度が増して最悪にはマガジンＭが装填口６より飛び出てしまうという欠点があった。
【００１１】
この点、マガジンが所定の排出位置で停止するよう格納部側に鉤状の係止具を配設したオートチェンジャ機能を備えたディスク再生装置が考案されているが、イジェクト時にマガジンを確実に所定の排出位置に停止させることと、装填口よりマガジンを手で抜き取る際に負荷抵抗なくスムーズに抜き取れるようにすることとは二律背反の要請となる。蓋し、マガジンを抜き取る際のスムーズさの感触を重視すると、係止具による負荷抵抗作用は邪魔であるからこれを弱く設定することになる。ところが逆にイジェクト時には係止具の負荷抵抗作用が弱過ぎることになってマガジンを確実に所定の排出位置に停止させるという所期の目的が達せられないのである。
【００１２】
そこで、本発明は、使用環境に影響されることなくマガジンを所定の排出位置（取出位置）に確実に停止させ、且つ停止させたマガジンを装填口より抜き取る際には、引っ掛かりの感触なくスムーズに抜き取れるようにすることを目的とする。
【００１３】
【課題を解決するための手段】
本発明は上述の目的を達成するため、ディスク状記録媒体をドライブするドライブユニットと、
該ドライブユニットに隣接して配設され、複数枚のディスク状記録媒体が並列状に収められるマガジンを装填口から脱着自在とする格納部と、
該格納部の底面側の座板下に配設した動作カムの回動動作で前記ドライブユニットを上下動させるエレベータ機構により、前記マガジンに収められた複数枚のディスク状記録媒体から任意の１枚を選択する選択機構と、
前記格納部に格納されたマガジンを前記装填口に向けて排出するイジェクト機構とを備えたディスク再生装置におけるマガジンのイジェクト機構において、
前記動作カムは、少なくとも前記マガジンの排出時における第１の位置と前記マガジンの排出後における第２の位置との間で前記座板に沿って回動可能とされ、その動作カムには前記格納部側に突出するストッパーピンが設けられると共に、前記マガジンには前記動作カムと近接する側の外面に前記ストッパーピンが遊嵌する逃げ溝が形成され、
その逃げ溝は、
前記動作カムの回動動作により前記ストッパーピンが取り得る軌道範囲に形成されると共に、前記動作カムが前記第１の位置にあるときに前記ストッパーピンと当接して前記マガジンを所定の排出位置に停止させる障壁と、前記動作カムが前記第２の位置にあるときに前記ストッパーピンの位置を通過して前記装填口からのマガジンの抜き取りを可能にする排出溝部とを有して成ることを特徴とするディスク再生装置におけるマガジンのイジェクト機構を提供するものである。
【００１４】
ここに、動作カムは既存のドライブユニットのエレベータ機構における上下動駆動に利用されるものであり、殆ど余分なコストが懸からず、極めて簡単で確実なイジェクト時のストッパー作用が得られる。
【００１５】
また、「逃げ溝」は既存の動作カムに新たに突設した本発明の構成要素であるストッパーピンとマガジンとのイジェクト時以外の接触を回避するためのものであり、マガジンに設ける本発明の構成要素である「障壁」を低く乃至凹溝の終端の壁（突出部分がない）とすることでディスク再生装置の余分な厚さ寸法を付加しないで済む効果がある。
【００１６】
【発明の実施の形態】
以下、本発明の適用例を図面に基づいて詳細に説明する。
【００１７】
先ず、図１は格納部を備えるディスク再生装置の一例として、ＣＤプレーヤを示す。図中、１は同プレーヤの外装用のハウジング、２はその内部に設けられるシャーシであり、このシャーシ２の内部にはディスク状記録媒体としてのコンパクトディスク（以下、ＣＤと略称する）をドライブするドライブユニット３と、これに隣接して再生用のＣＤをセットするための格納部４が設けられている。５は格納部４に格納されるマガジンであり、ＣＤはこのマガジン５の中に並列状にして収容される。ここで、格納部４にはマガジン５を抜き差しするための装填口６が形成され、その装填口６より格納部４の内部にマガジン５を装填できるようになっている。また、格納部４の下方には後述するイジェクト機構が設けられており、マガジン５に収められているＣＤを交換する際などには、そのイジェクト機構を図示せぬイジェクトスイッチの操作で作動させることにより、マガジン５を装填口６へ送り出して、マガジン５の本体の１／３程度を装填口６より突出した状態で停止させ、その後、手でマガジン５を掴んで格納部４から取り出すことができるようになっている。
【００１８】
なお、ドライブユニット３は公知の如くＣＤを回転させるためのターンテーブルや、その記録面に形成されているピット列を読み取るための光ピックアップなどを備え、再生時にはこのドライブユニット３が選択されたＣＤのある高さ位置までエレベータ機構によって上下移動し、マガジン５の中からそのＣＤをスライドさせて図示せぬターンテーブル上まで引き込むという選択機構が本ディスク再生装置に配設されている。
【００１９】
図２は、マガジン５を図１の逆側からみた状態を示す。この図で明らかなように、マガジン５は箱形のケース７と該ケースの内部を仕切る複数枚の棚板８とにより構成される。ケース７の一端面は開口部９として全面開口されており、マガジン５はその開口部９をドライブユニット３に向けて格納部４に格納される。一方、棚板８は一定の間隔をあけてケース７の内部に多段状に収容される。なお、ＣＤはそれら棚板８の上に一枚ずつ個別に載せられてケース７の中に収容され、その再生又は交換をする場合には、該当する棚板８を開口部９より引き出すことができる。
【００２０】
次に、図３は、前記格納部４を中心とするＣＤプレーヤの構造を示す上から見た透視平面図であり、図４はその正面図である。この図で明らかなように、一般にマガジンのイジェクト機構（スライダＳとオイルダンパＤ及び弾性部材Ｆを主構成要素とする。）その他のメカ機構は格納部４の底面の座板１０の下１５ｍｍ厚程度の領域に主に配設されている。例えば、再生時にドライブユニット３が選択されたＣＤのある高さ位置まで上下移動するためのエレベータ機構として、モータと歯車で駆動制御される動作カムＣ、動作カムＣの回動動作に連係して左右にスライドする前面の摺動部材１２、摺動部材１２に設けた斜めのスリット１３、及びドライブユニット３に配設されてスリット１３に嵌合するピン１４とを備え、そのピン１４が垂直スリット１５に沿って上下動するというエレベータ機構がある。
【００２１】
次に、イジェクト機構について説明する。先ず、弾性部材Ｆ（引張りバネ）の弾性応力に抗してマガジン５を装填口６より格納部４に押し込むと、スライダＳをロックするためのロックレバーＲがロック作動してマガジン５が係止装填される。ここに、ロックレバーＲにはスライダＳの脚部と係合する図示せぬガイド溝が形成してあり、格納部４にマガジン５を完全に格納したときにはスライダＳの脚部がそのガイド溝より離脱してロックレバーＲの側縁に係止（ロックオン）するようになっている。そして、格納部４に装填されたマガジン５を取り出すべく、図示せぬ操作パネルのイジェクトスイッチを操作すると、ロックレバーＲが解除され、スライダＳがその脚部をガイド溝に係合させながら弾性部材Ｆの復元力により装填口６に向かって進行し、マガジン５を装填口６に向けて押し出すのである。なお、図３及び図４において、符号１７は座板１０に突設したガイドピンであり、それらガイドピン１７はマガジン５の装填方向に沿って直列状に配列されている。
【００２２】
マガジン５については、図６の上から見た底面の透視平面図に示すように、マガジン５の底面に一端面より他端面に向けて複数の溝部２１，２２，２３が形成されており、このうち図の中央にある溝部２２がガイドピン１７と対応する位置に形成されている。すなわち、マガジン５を格納部４に装填する場合や格納部４から取り出す場合、ガイドピン１７と溝部２２が係合することにより、マガジン５をガイドピン１７に沿って円滑に摺動させることができる。また、左端にあるＬ字形の溝部２１は、ロックレバーＲに対応するものであり、マガジン５を格納部４に格納したとき該溝部２１の最深部にロックレバーＲのロックピンが導入してマガジン５をロックするようになっている。更に、右側の溝部２３は後述のストッパーピンに対する「逃げ溝」である。
【００２３】
次に、上記イジェクト機構において所定の排出位置で確実にマガジン５を停止させる機構について説明する。
【００２４】
第一の構成要素として、所定の排出位置で確実にマガジン５を停止させる部材としてのストッパーピン２５が前述のエレベータ機構に使用される動作カムＣのマガジン側表面に突設させてある。該ストッパーピン２５は高さ５ｍｍ程度の円筒形状のものである。一方、図６に示されるように、マガジン５の動作カムＣに近接する側の外面（図１では裏面側）には、所定の排出位置にある状態でストッパーピン２５と対応する箇所に障壁２７が配設されている。
【００２５】
ところで、エレベータ機構に使用される動作カムＣは、マガジン５のイジェクト時とマガジン５を取り出した後の待機時とでは異なる回転位置状態となる回動動作を行う。図５は待機時の状態を表す透視平面図であるが、イジェクト時の状態を表す図３と比較すると分かるように、イジェクト時の動作カムＣの位置（破線で表す）とはストッパーピン２５が数ミリ左へ移動している。
【００２６】
本発明は上記動作カムＣの動きを利用し、該動作カムＣの適当な位置に配設したストッパーピン２５が、所定の排出位置まで押し出されて来たマガジン５の障壁２７に確実に当たってマガジン５を停止させ、次に多少のタイムラグの後、待機状態となると、ストッパーピン２５が障壁２７から離れてストッパー作用が解除されるように構成したものである。
【００２７】
而して、動作カムＣは、マガジン５のイジェクト時と待機時とで異なる回転位置状態となる回動動作を行うものであることが必要条件となる。
【００２８】
このような動作カムＣは、新たに配設することもできるが、新たな動作カムの配設は、それを駆動制御するメカ機構が必要となり、スペース的制限やコスト増の問題も加わることから得策でないので、本発明では既存の動作カムＣを利用する。
【００２９】
次に、マガジン５の外面に設けた障壁２７は、図示せぬ円弧スリットを通して座板１０から突出するストッパーピン２５に緩やかに嵌合するものであり、これは図６に示すよう溝部２３（逃げ溝）の一部途切れる箇所に形成される。
【００３０】
次に、格納部４側の動作カムＣのストッパーピン２５と、マガジン５の障壁２７及び逃げ溝２３との関係を説明する。図６において、マガジン５の格納部４への装填時はストッパーピン２５の中心が矢印Ａ（一点鎖線）の軌跡で逃げ溝２３（排出溝部２３Ａ）内をＸ１点の位置まで進み、再生時はエレベータ機構の動作カムＣの回動動作に合わせてＸ１点からＸ２点の間の矢印Ｂ（破線）の範囲を動く。一方、マガジン５のイジェクト時はＸ１点から矢印Ｅ（太実線）の軌跡でＸ３点にまで至り、障壁２７に当たって止まる。その後約０．２秒後に待機状態となってＸ３点からＸ４点へ移動する。
【００３１】
而して、イジェクト操作を行うと、上述のイジェクト機構によってマガジン５は所定の排出位置にまで押し出されて確実に止まり、待機状態となるまでの僅かの時間経過後、ストッパーピン２５は何ら障害とならず、イジェクト操作後に引っ掛かりの感触なくスムーズに抜き取れるのである。
【００３２】
なお、逃げ溝２３は所要の深さを有してストッパーピン２５と緩やかに嵌合し（接触しない）、イジェクト時以外ではマガジンの移動に際して障害とならないようになっていることが肝要である。
【００３３】
以上、本発明の好適な一例を説明したが、係るディスク再生装置はＣＤプレーヤに限らず、ＤＶＤプレーヤなどにも適用可能であること勿論である。
【００３４】
【発明の効果】
以上の説明で明らかなように、本発明のイジェクト機構は従来のようにマガジンを摩擦によって止めるのではなく、既存のエレベータ機構の動作カムにストッパーピンを設けるとともに、マガジンの外面にストッパーピンがイジェクト時のみ所定の排出停止位置に至ると当たる障壁を設けることによって、イジェクト動作時に確実にマガジンを所定の排出位置に止めることができ、しかもその後引っ掛かりの感触なくスムーズに抜き取れるという優れた効果を有する。
【００３５】
また、既存のエレベータ機構の動作カムを利用することにより、ストッパーピンを該動作カムに配設し、格納部の座板に円弧スリットを設け、マガジンの外面に逃げ溝を設けることのみで上記効果を達成できるので、コストの低廉化が図れて極めて汎用性がある。
【図面の簡単な説明】
【図１】本願に係るディスク再生装置としてＣＤプレーヤを示した斜視概略図
【図２】ディスク再生装置に用いるマガジンの一例を示した斜視図
【図３】格納部を中心とするＣＤプレーヤの構造を示すイジェクト時の上から見た透視平面図
【図４】イジェクト状態でのＣＤプレーヤのエレベータ機構を説明する透視正面図
【図５】格納部を中心とするＣＤプレーヤの構造を示す待機時の上から見た透視平面図
【図６】マガジンの底面に設けられた逃げ溝を含む溝部を説明するためのマガジンを上から見た底面の透視平面図
【図７】従来のイジェクト機構を示した格納部の平面図
【符号の説明】
３    ドライブユニット
４    格納部
５、Ｍ    マガジン
６    装填口
１０    座板
２３    逃げ溝
２３Ａ  排出溝部
２５    ストッパーピン
２７    障壁
Ｃ    動作カム
Ｓ    スライダ
Ｆ    弾性部材
Ｒ    ロックレバー
Ｄ    オイルダンパ
【図１】
0003565017.tif 000002
【図２】
0003565017.tif 000003
【図３】
0003565017.tif 000004
【図４】
0003565017.tif 000005
【図５】
0003565017.tif 000006
【図６】
0003565017.tif 000007
【図７】
0003565017.tif 000008